(57)【特許請求の範囲】
【請求項１】
携帯型電子装置を収容する携帯型電子装置の保護カバーにおいて、
ケース及び回転固定部材を備え、
前記ケースは、第一ケース及び第二ケースを備え、
前記回転固定部材は、前記第一ケース及び前記第二ケースの連接部から延伸して形成され、回転部を備え、
前記回転部は、少なくとも一つのフック部及び一つの回転軸を備え、
前記少なくとも一つのフック部は、回転可能に前記回転軸に引っ掛けられて、前記第一ケースと前記第二ケースとを連接させ、この際、前記第一ケースと前記第二ケースとの間には、異なる夾角が形成されて、前記携帯型電子装置の保護カバーを支持する或いは前記携帯型電子装置の保護カバー内に収容されている携帯型電子装置を支持し、
前記回転固定部材は、更にロック部を備え、
前記ロック部は、少なくとも一つのブロック及び少なくとも一つのスライド溝を備え、
前記少なくとも一つのブロックは、前記少なくとも一つのスライド溝内にスライド可能に挿入されて、前記第一ケースと前記第二ケースとを異なる角度に定位することを特徴とする携帯型電子装置の保護カバー。
【請求項２】
前記少なくとも一つのフック部と前記回転軸との間に摩擦力が発生し、
前記第一ケースと前記第二ケースとを異なる角度に調整する際、前記摩擦力によって前記携帯型電子装置の保護カバーを支持する或いは前記携帯型電子装置の保護カバー内に収容されている携帯型電子装置を支持することを特徴とする請求項１に記載の携帯型電子装置の保護カバー。
【請求項３】
前記回転軸が、前記第一ケースの連接部から外部に向けて延伸して形成され、また、少なくとも一つの突出したブロックが、前記第一ケースにおける前記回転軸の下部に近接する箇所に設けられ、また、前記第二ケースの連接部からは、外部に向けて湾曲する少なくとも一つのフック部が形成され、前記少なくとも一つのフック部の外表面から内側に窪んで、少なくとも一つのスライド溝が形成されていることを特徴とする請求項１に記載の携帯型電子装置の保護カバー。
【請求項４】
前記回転固定部材は、さらに少なくとも一つの穿孔を備え、
前記少なくとも一つの穿孔は、前記第一ケースの連接部から内側に窪んで形成されており、前記回転軸及び前記少なくとも一つのブロックは、それぞれ前記少なくとも一つの穿孔の対向する両側に突出して設置され、
前記少なくとも一つの穿孔は、前記少なくとも一つのフック部を貫通し、当該少なくとも一つのフック部は、前記回転軸に引っ掛けられて前記回転軸に対して回転することを特徴とする請求項３に記載の携帯型電子装置の保護カバー。
【請求項５】
前記回転軸は、前記少なくとも一つの穿孔における前記第一ケースの連接部と近接する一側から突出して設置され、且つ前記少なくとも一つの穿孔と連接し、
前記少なくとも一つのブロックは、前記少なくとも一つの穿孔における前記第一ケースの連接部から離れる一側に突出して設置されていることを特徴とする請求項４に記載の携帯型電子装置の保護カバー。
【請求項６】
前記ケースは、前記第一ケースと前記第二ケースとに切断され、
前記ケースは、少なくとも一つの側壁を備え、
前記第二ケースは、前記ケースの任意の一つの側壁或いは任意の２つの側壁から切断して形成されることを特徴とする請求項１に記載の携帯型電子装置の保護カバー。
【請求項７】
前記第一ケースと前記第二ケースとはそれぞれ独立して成形され、
前記第一ケースの連接部と前記第二ケースの連接部とを組み合わせて前記ケースが形成され、
前記ケースは、少なくとも一つの側壁を備え、
前記第一ケースの連接部と前記第二ケースの連接部との接触部は、前記ケースの任意の一つの側壁或いは任意の２つの側壁から延伸して形成されることを特徴とする請求項１に記載の携帯型電子装置の保護カバー。
【請求項８】
前記保護カバーは、さらに収容空間及びフレームを備え、
前記収容空間は、前記ケースの上表面から内部に窪んで形成されて、前記携帯型電子装置を収容し、
前記フレームは、前記収容空間の開口部の周縁から内部に向かって突出して形成されていることを特徴とする請求項１に記載の携帯型電子装置の保護カバー。
【請求項９】
前記少なくとも一つのフック部は、前記第二ケースにおける前記第二ケースの連接部における収容空間から離れる方向に向かって湾曲し、
前記回転軸と前記少なくとも一つのブロックは、それぞれ前記第一ケースにおける前記第一ケースの連接部における前記収容空間から離れる方向に向かって延伸していることを特徴とする請求項１に記載の携帯型電子装置の保護カバー。
【発明の詳細な説明】
【技術分野】
【０００１】
本発明は、保護カバーに関し、特に支持機能を備える携帯型電子装置の保護カバーに関するものである。
【背景技術】
【０００２】
現在、携帯電話、ウォークマン、ＧＰＳ、フォトフレーム、タブレットパソコンなどの携帯型電子装置は、人々の日常生活に必要不可欠なものとなっており、多くのユーザが、ブラケットを有する保護カバーを利用して携帯型電子装置をカバーして保護し、ブラケットによって便利に携帯型電子装置を支持して、携帯型電子装置内のファイルなどを見る。しかし、前記保護カバーとブラケットとは相互に独立した構造であるため、その組み立て過程は複雑であり、且つ製造コストも高い。
【発明の概要】
【発明が解決しようとする課題】
【０００３】
以上の問題点に鑑みて、本発明は、低コストで、組み立てが容易であり、且つ支持機能を備える携帯型電子装置の保護カバーを提供することを目的とする。
【課題を解決するための手段】
【０００４】
上記の課題を解決するために、本発明の携帯型電子装置の保護カバーは、携帯型電子装置を収容し、ケースと、回転固定部材と、を備える。ケースは、第一ケースと、第二ケースと、を備える。回転固定部材は、第一ケースと第二ケースとの連接部に延伸して設けられ、回転部を備える。回転部は、少なくとも一つのフック部及び一つの回転軸を備える。少なくとも一つのフック部は、回転軸に引っ掛けられて、該回転軸に対して回転でき、第一ケースと第二ケースとを連接し、第一ケースと第二ケースとの間で異なる夾角によって携帯型電子装置の保護カバー或いは携帯型電子装置の保護カバーの中に収容されている携帯型電子装置を支持する。
【発明の効果】
【０００５】
本発明は、回転固定部材を利用して、携帯型電子装置の保護カバー及び携帯型電子装置の保護カバー内に収容されている携帯型電子装置を支持する。回転固定部材は、携帯型電子装置の保護カバー自身から延伸している。つまり携帯型電子装置の保護カバーと一体成形されているので、製造コストを削減することができ、組み立ても容易である。
【図面の簡単な説明】
【０００６】
【図１】図１は、本発明の実施形態に係る携帯型電子装置の保護カバーの斜視図である。
【図２】図２は、図１に示した携帯型電子装置の保護カバーの分解斜視図である。
【図３】図３は、図１に示した携帯型電子装置の保護カバーの第二ケースをブラケットとして、携帯型電子装置の保護カバーを横置きにした状態を表す図である。
【図４】図４は、図３に示した携帯型電子装置の保護カバーを縦置きにした状態を表す図である。
【発明を実施するための形態】
【０００７】
以下、図面に基づいて、本発明に係る携帯型電子装置の保護カバーについて詳細に説明する。図１及び図２に示したように、本実施形態において、携帯型電子装置の保護カバー１は、携帯型電子装置の保護カバー１に収容されている携帯型電子装置（図示せず）を保護し、且つ該携帯型電子装置を支持する。携帯型電子装置の保護カバー１は、ケース１０及び回転固定部材８０を備える。ケース１０は、第一ケース１０１及び第二ケース１０２を備える。回転固定部材８０は、第一ケース１０１と第二ケース１０２とを連接させるために用いられる。
【０００８】
具体的には、ケース１０の形状は、ケース１０内に収容される携帯型電子装置の形状に対応し、立方状、円形状、楕円状、三角状、多角状または他の任意の形状でもよい。また、ケース１０は、少なくとも一つの側壁を備える。本実施形態において、ケース１０は、直方状を呈し、第一側壁１１０、第二側壁１２０、第三側壁１３０及び第四側壁１４０を備える。第一側壁１１０と第三側壁１３０とは相対して設置され、第一側壁１１０の長さは、第三側壁１３０の長さに等しい。また、第一側壁１１０及び第三側壁１３０の長さは、第二側壁１２０及び第四側壁１４０より長い。第二ケース１０２は、ケース１０の隣接している二つの側壁を切断して形成される。本実施形態において、第二ケース１０２は、第一側壁１１０の一部から第二側壁１２０の一部までを切断して形成される。即ち、第二ケース１０２は、ケース１０の一つの隅である。これにより、第二ケース１０２は、携帯型電子装置の保護カバー１のブラケットとして、携帯型電子装置の保護カバー１自身及び携帯型電子装置の保護カバー１内の携帯型電子装置を支持することができる。他の実施形態において、第二ケース１０２は、ケース１０の一つの側壁（例えば、第一側壁１１０）或いはケース１０の相対する二つの側壁（例えば、ケース１０の第一側壁１１０から第三側壁１３０まで）を切断して形成される。本実施形態において、第一ケース１０１の切断位置及び第二ケース１０２の切断位置は、それぞれ第一ケース１０１と第二ケース１０２とが連接される連接部である（ここで、各切断位置を第一ケース１０１の連接部と第二ケース１０２の連接部と定義する）。
【０００９】
他の実施形態において、第一ケース１０１と第二ケース１０２とはそれぞれ独立して成形される。つまり、第一ケース１０１の連接部と第二ケース１０２の連接部とを組み合わせることによってケース１０が形成される。この際、第一ケース１０１の連接部の形状は、第二ケース１０２の連接部の形状に対応する。第一ケース１０１と第二ケース１０２とを組み立てて１つのケース１０を形成して、当該ケース１０の中に携帯型電子装置を収容する。ケース１０の形状は、携帯型電子装置の形状に対応する。ケース１０は、少なくとも一つの側壁を備える。第一ケース１０１が第二ケース１０２に連接されると、第一ケース１０１と第二ケース１０２との連接部は互いに接触する。該接触する箇所は、ケース１０の任意の一つの側壁或いは任意の二つの側壁から延伸して形成される。
【００１０】
回転固定部材８０は、第一ケース１０１の連接部から延伸して形成され、回転部８１及びロック部８３を備える。回転部８１は、少なくとも一つのフック部８１０及び回転軸８１２を備える。ロック部８３は、少なくとも一つのスライド溝８３０及び少なくとも一つのブロック８３２を備える。該少なくとも一つのフック部８１０は、回転可能に回転軸８１２に設置されて、第一ケース１０１と第二ケース１０２とを連接する。この際、第一ケース１０１と第二ケース１０２との間には一定の夾角が形成され、携帯型電子装置の保護カバー１或いは携帯型電子装置の保護カバー１中の携帯型電子装置を支持する。同時に、少なくとも一つのブロック８３２は、スライド可能に少なくとも一つのスライド溝８３０内に挿入され、第一ケース１０１と第二ケース１０２とをロックする。
【００１１】
具体的には、回転軸８１２が、第一ケース１０１の連接部から外部に向けて延伸して形成されており、また、少なくとも一つの突出したブロック８３２が、第一ケース１０１における回転軸８１２の下部に近接する箇所に設けられている。また、回転固定部材８０は、少なくとも一つの穿孔８５を備える。本実施形態において、二つの穿孔８５が、第一ケース１０１の連接部から内側に窪んで、且つ並列して（即ち、回転軸８１２に対して平行に）形成されている。該２つの穿孔８５は、直方状を呈す。ブロック８３２の数量は二つであり、回転軸８１２と二つのブロック８３２は、穿孔８５の両側にそれぞれ突出して設置されている。回転軸８１２は、穿孔８５における第一ケース１０１の連接部に近接している一側に突出して設置され、二つの穿孔８５に連接されている。二つのブロック８３２は、穿孔８５における第一ケース１０１の連接部から離れている一側に突出して設置され、それぞれ穿孔８５の中央に設置されている。
【００１２】
また、第二ケース１０２の連接部からは、外部に向けて湾曲する少なくとも一つのフック部８１０が形成されている。各フック部８１０の外表面には、内側に窪んだスライド溝８３０がそれぞれ形成されている。フック部８１０は、回転軸８１２に対応して設置され、この際、スライド溝８３０は、ブロック８３２に対応して位置する。本実施形態において、フック部８１０の数量は二つである。第一ケース１０１上の対応する一つの穿孔８５が各フック部８１０をそれぞれ貫通すると、各フック部８１０は、回転軸８１２に引っ掛けられる。これにより、各フック部８１０は、回転軸８１２に対して異なる角度回転できる。またこの際、二つのフック部８１０と回転軸８１２との間には摩擦力が発生し、該摩擦力は、第二ケース１０２の重力より大きい。本実施形態において、スライド溝８３０の数量は二つであり長方形を呈す。各スライド溝８３０は、対応する一つのフック部８１０の略中央に設けられている。二つのフック部８１０が回転可能に回転軸８１２に引っ掛けられた際、二つのブロック８３２は、二つのスライド溝８３０内にそれぞれ回転可能に収容される。
【００１３】
他の実施形態において、回転固定部材８０は、回転部８１のみを備える。この際、回転部８１の少なくとも一つのフック部８１０は、回転部８１の回転軸８１２に引っ掛けられ、回転軸８１２に対して異なる角度回転できる。回転部８１のフック部８１０と回転部８１の回転軸８１２との間には摩擦力が発生するため、該摩擦力よって、第一ケース１０１と第二ケース１０２とを異なる角度に定位し、携帯型電子装置の保護カバー１を支持することができる、或いは携帯型電子装置の保護カバー１中の携帯型電子装置を支持することができる。つまり、第一ケース１０１と第二ケース１０２との間で複数の異なる角度を形成できるため、携帯型電子装置の保護カバー１内の携帯型電子装置を異なる角度に支持することができる。
【００１４】
本実施形態において、携帯型電子装置の保護カバー１は、さらに収容空間３０を備える。収容空間３０は、ケース１０の上表面から内側に窪んで形成され、携帯型電子装置を収容する。二つのフック部８１０は、第二ケース１０２の連接部における収容空間３０から離れる方向に向かって湾曲している。また、回転軸８１２及び二つのブロック８３２も、第一ケース１０１の連接部における収容空間３０から離れる方向に向かってそれぞれ延伸している。
【００１５】
本実施形態における電子装置は、携帯電話、タブレット、ウォークマン、デジタルフォトフレームなどの携帯型電子装置である。携帯型電子装置の保護カバー１は、これらの携帯型電子装置をカバーして保護し、且つ支持することができる。
【００１６】
図３に示すように、携帯型電子装置の保護カバー１は、さらにフレーム５０を備える。該フレーム５０は、収容空間３０の開口の周縁から内部に向かって突出して形成されて、収容空間３０内の携帯型電子装置が携帯型電子装置の保護カバー１から脱落することを防止する。
【００１７】
ケース１０の第一ケース１０１と第二ケース１０２とを組み立てる際、対応する回転固定部材８０の二つの穿孔８５を、二つのフック部８１０にそれぞれ貫通させた後、回転軸８１２に引っ掛けると同時に、二つのブロック８３２を二つのスライド溝８３０内に収容させて、第一ケース１０１と第二ケース１０２とを回転可能に連接させる。
【００１８】
携帯型電子装置の保護カバー１の初期状態において、第一ケース１０１と第二ケース１０２との夾角は０度（図１を参照）であり、二つのブロック８３２は、二つのスライド溝８３０における第二ケース１０２の連接部に近接している２つの側壁と接触する。この際、携帯型電子装置の保護カバー１は、携帯型電子装置の保護カバー１内に収容されている携帯型電子装置を外部からの衝撃などによる損傷から保護することができる。二つのフック部８１０と回転軸８１２との間の摩擦力が第二ケース１０２の重力より大きいので、外力がない場合、第二ケース１０２は第一ケース１０１に対して回転しない。また、携帯型電子装置と第二ケース１０２のフレーム５０との相互抵抗作用により、第二ケース１０２は、第一ケース１０１に対して回転できない。
【００１９】
支持機能を使用する際、外力によって第二ケース１０２を押すことにより、第二ケース１０２のフレーム５０は、電子装置から脱離する。この際、外力は、二つのフック部８１０と回転軸８１２との間の摩擦力より大きいので、二つのフック部８１０は、回転軸８１２に対して回転する。即ち、第二ケース１０２は、第一ケース１０１を中心として回転し、二つのブロック８３２は、対応する二つのスライド溝８３０内で第二ケース１０２から離れる方向に沿って移動して、それぞれ二つのスライド溝８３０における第二ケース１０２の連接部から離れる二つの側壁と接触する。これにより、第一ケース１０１と第二ケース１０２との間に所定の夾角が形成され、第二ケース１０２は、ブラケットをとして携帯型電子装置の保護カバー１内に収容されている携帯型電子装置を支持することができる。
【００２０】
図４を併せて参照すると、本実施形態において、第一ケース１０１と第二ケース１０２との間の夾角は６０度である。携帯型電子装置の保護カバー１を横に置いた場合、第二ケース１０２は、ブラケットとして第三側壁１３０と共に、携帯型電子装置の保護カバー１と携帯型電子装置の保護カバー１内に収容されている携帯型電子装置を支持する。他の実施形態において、第一ケース１０１と第二ケース１０２との間の夾角は、支持できる他の任意の角度に調整してもよい。
【００２１】
本発明は、回転固定部材８０を利用して携帯型電子装置の保護カバー１と携帯型電子装置の保護カバー１内に収容されている携帯型電子装置を支持する。また、回転固定部材８０が携帯型電子装置の保護カバー１から延伸して、携帯型電子装置の保護カバー１と一体に形成されているので、組み立てに容易であり、且つ製造コストも低い。
【符号の説明】
【００２２】
１  携帯型電子装置の保護カバー
１０  ケース
１０１  第一ケース
１０２  第二ケース
１１０  第一側壁
１２０  第二側壁
１３０  第三側壁
１４０  第四側壁
３０  収容空間
５０  フレーム
８０  回転固定部材
８１  回転部
８１０  フック部
８１２  回転軸
８３  ロック部
８３０  スライド溝
８３２  ブロック
８５  穿孔
【図１】
0006546441.tif 000002
【図２】
0006546441.tif 000003
【図３】
0006546441.tif 000004
【図４】
0006546441.tif 000005